Podtech/llm-jp-corpus-v4-ja_patent huggingface dataset:
【手続補正書】
【提出日】平成17年12月14日(2005.12.14)
【手続補正１】
【補正対象書類名】明細書
【補正対象項目名】００２７
【補正方法】変更
【補正の内容】
【００２７】
本発明のローラ１６０の溝は、ローラの中央から外向きにらせんを形成しているため、ローラ１６０が回転すると、研磨ベルト１５６に接触しないローラ１６０の溝部分は、矢印１６２で示すように、ウエハ研磨中に研磨パッドの幅に沿って移動する。したがって、らせん状ではない平行な溝を備え、それら平行な溝が、独立しており、ローラの周囲に別個の平行な輪を形成する従来のローラと異なり、本発明は、研磨ベルトの一部がローラ１６０の溝部分の上に存在する時間を平均化することにより、研磨ベルト１５６の張力を一様にすることができる。研磨パッドの張力を平均化することにより、より一貫した一様なウエハ研磨プロフィルが実現される。その結果、より一貫したウエハ生産を行うことが可能となり、ウエハの歩留まりが向上する。
【手続補正２】
【補正対象書類名】明細書
【補正対象項目名】００４２
【補正方法】変更
【補正の内容】
【００４２】
【図１Ａ】ＣＭＰシステムで一般的に用いられるリニア研磨装置を示す図。
【図１Ｂ】リニア研磨装置を示す側面図。
【図１Ｃ】リニア研磨装置のローラを示す俯瞰図。
【図１Ｄ】非一様な研磨プロフィルが、そのまま、研磨ベルトにおける非一様な研磨圧力となる様子を示す図。
【図２Ａ】本発明の一実施形態に従って、ＣＭＰシステムを示す側面図。
【図２Ｂ】本発明の一実施形態に従って、複数のらせん溝を備えたローラを示す図。
【図３Ａ】本発明の一実施形態に従って、最適化された溝パターンをローラ上に有するローラ溝パターンを示す図。
【図３Ｂ】本発明の一実施形態に従って、図３Ａに示した部分を示す立体図。
【図３Ｃ】第１の組のらせん溝と、第１の組の外向き通路との拡大図を表す部分を示す図。
【図３Ｄ】本発明の一実施形態に従って、ローラ溝パターンを有するローラを示す詳細な立体図。
【図４】本発明の一実施形態に従って、外向き通路を備えた溝付きローラの製造方法を示すフローチャート。
【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
組換え宿主細胞であって、配列番号：１４の酵素活性を有するヒアルロナンシンターゼをコードするコード領域を有する精製した核酸セグメントを含んでなる組換えベクターを含んでなるBacillus細胞であり、コード領域がプロモーターによって制御されていることを特徴とする、組換え宿主細胞。
【請求項２】
組換え宿主細胞がBacillus subtilisまたはBacillus licheniformis細胞である、請求項１に記載の組換え宿主細胞。
【請求項３】
精製した核酸セグメントが配列番号：１３のヌクレオチド配列を含んでなる、請求項１に記載の組換え宿主細胞。
【請求項４】
宿主細胞がヒアルロン酸を産生する、請求項３に記載の組換え宿主細胞。
【請求項５】
精製した核酸セグメントの酵素活性を有するヒアルロナンシンターゼをコードするコード領域がグラム陽性菌適合性プロモーターによって制御されている、請求項１に記載の組換え宿主細胞。
【請求項６】
プロモーターがBacillus適合性プロモーターである、請求項５に記載の組換え宿主細胞。
【請求項７】
Bacillus subtilis細胞が酵素活性を有するＵＤＰ−ＧｌｃＵＡ生合成経路酵素をコードするコード領域を有する精製した核酸セグメントを含んでなる組換えベクターをも含んでなり、酵素活性を有するＵＤＰ−ＧｌｃＵＡ生合成経路酵素がＵＤＰグルコースデヒドロゲナーゼ、ＵＤＰ−グルコースピロホスホリラーゼ、およびそれらの組合せからなる群から選択される、請求項１に記載の組換え宿主細胞。
【請求項８】
組換えベクターが酵素活性を有するＵＤＰ−グルコースデヒドロゲナーゼをコードするコード領域を有する精製した核酸セグメントをも含んでなる、請求項１に記載の組換え宿主細胞。
【請求項９】
酵素活性を有するＨＡＳをコードするコード領域と酵素活性を有するＵＤＰ−グルコースデヒドロゲナーゼをコードするコード領域が、少なくとも１種類のプロモーターの少なくとも１個のコピーによって制御されている、請求項８に記載の組換え宿主細胞。
【請求項１０】
酵素活性を有するＨＡＳをコードするコード領域と酵素活性を有するＵＤＰ−グルコースデヒドロゲナーゼをコードするコード領域が、異なるプロモーターによって制御されている、請求項８に記載の組換え宿主細胞。
【手続補正書】
【提出日】平成17年12月13日(2005.12.13)
【手続補正１】
【補正対象書類名】明細書
【補正対象項目名】０００４
【補正方法】変更
【補正の内容】
【０００４】
一方、外来抗原を認識し、応答する免疫系の能力は、ある状況においては望ましくない。例えば、臓器移植の拒絶反応、すなわち移植拒絶反応は、レシピエントの免疫系が外来組織適合性抗原を認識する場合に起きる。同様に、血縁でない(または同種（異型）)ドナー由来の造血幹細胞の移植手術は、ドナー幹細胞調製物がＴリンパ球を一般的に含有するために、致死的応答、いわゆる移植片対宿主病(ＧＶＨＤ)を誘因し得る。ＧＶＨＤは、ドナーＴリンパ球がレシピエントの組織適合性抗原を外来物質として認識し、多臓器機能不全および破壊によって応答する場合におこる。
【手続補正２】
【補正対象書類名】明細書
【補正対象項目名】００３３
【補正方法】変更
【補正の内容】
【００３３】
上記アプローチの１つによって生成される１以上の制御Ｔ細胞サブセットの投与は、個体において望ましくない免疫応答を阻害するのに使用される。例えば、抗体媒介自己免疫不全に罹った個体において、本発明は、末梢血液Ｔ細胞の抗体産生を下方調節する能力を回復し、細胞媒介性免疫応答を回復する。細胞媒介機能不全に罹った患者において、本発明は、別のＴ細胞において細胞毒性のＴ細胞活性を抑制する制御Ｔ細胞を生成する。臓器移植を受けた患者において、本発明は、レシピエントＴ細胞がドナー臓器の破壊することから守る。幹細胞の移植を受ける患者において、本発明はドナー幹細胞がレシピエント細胞および組織を破壊することを防止する。
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
脳の特定の領域に関連する障害を治療するためのシステムであって、
脳の髄板内核と接触させて埋め込まれる装置と、
前記脳の特定の領域における活動の検出手段であって、前記活動の検出は前記装置の位置から離間した位置で生じるものである、検出手段と、
前記活動に応じて前記装置を操作し、髄板内核を調節して、それによって脳の特定の領域に関連する障害に作用する、操作手段と
を有するシステム。
【請求項２】
請求項１のシステムにおいて、前記刺激は電気的なものである。
【請求項３】
請求項２のシステムにおいて、前記装置は電極アセンブリである。
【請求項４】
請求項１のシステムにおいて、前記検出される活動は電気的活動である。
【請求項５】
請求項１のシステムにおいて、前記刺激は化学的なものである。
【請求項６】
請求項５のシステムにおいて、前記装置は持続放出型の基質（マトリックス）である。
【請求項７】
請求項５のシステムにおいて、前記検出される活動は化学的活動である。
【請求項８】
請求項１のシステムにおいて、前記脳の特定の領域は前記髄板内核とは異なるものである。
【請求項９】
請求項１のシステムにおいて、前記特定の領域は前頭前野、眼窩前頭皮質、内包前脚、側坐核、下、中、上前頭回、内側前頭回、腹部線条体、腹部パリダム前核視床、視床背内側核、視床髄板内核、帯状皮質、扁桃体、海馬、海馬傍回、楔前部脳回、前内部パリダム、乳頭体、外側視床下部、青斑、背部縫線核、腹部被蓋、黒質ち密部及び黒質網様部、小脳半球背部表面及び小脳半球前側部表面から成る群から選択されるものである。
【請求項１０】
請求項１のシステムにおいて、前記特定の領域は腹部線条体、腹部パリダム、前内部&背部パリダム、海馬、海馬傍回、楔前部脳回、外側視床下部、腹部被蓋、小脳半球背部表面、及び小脳半球前側部表面から成る群から選択されるものである。
【請求項１１】
請求項１のシステムにおいて、前記特定の領域は腹部パリダム、及び前内部&背部パリダムから成る群から選択されるものである。
【請求項１２】
請求項１のシステムにおいて、前記精神障害はＯＣＤ、鬱、不安障害、統合失調症から成る群、その中でも特にＯＣＤから選択されるものである。
【請求項１３】
請求項１のシステムにおいて、前記精神障害は自閉症、失読症、強迫神経障害、全身性不安障害、心的外傷後ストレス障害、パニック発作、対人恐怖症、大鬱病、双極性障害、統合失調症、及び薬物乱用障害／依存症から成る群から選択されるものである。
【請求項１４】
請求項１のシステムにおいて、前記検出手段は硬膜外、硬膜下、若しくは頭皮上で起こるものである。
【請求項１５】
請求項１のシステムにおいて、前記検出手段は電極及び／若しくはマイクロ注入カニューレの局所的な環境で起こるものである。
【請求項１６】
脳の特定の領域における精神活動に作用するシステムであって：
脳の髄板内核と接触して設置される電極と；
前記装置を操作し、前記髄板内核を刺激して、それによって前記脳の特定の領域に作用するものである、操作手段と
を有するシステム。
【請求項１７】
請求項１６のシステムにおいて、前記刺激は電気的なものである。
【請求項１８】
請求項１７のシステムにおいて、前記装置は電極アセンブリである。
【請求項１９】
請求項１６のシステムにおいて、前記検出される活動は電気的活動である。
【請求項２０】
請求項１６のシステムにおいて、前記刺激は化学的なものである。
【請求項２１】
請求項２０のシステムにおいて、前記装置は持続放出型の基質（マトリックス）である。
【請求項２２】
請求項２１のシステムにおいて、前記検出される活動は化学的活動である。
【請求項２３】
請求項１６のシステムにおいて、前記脳の特定の領域は前記髄板内核とは異なるものである。
【請求項２４】
請求項１６のシステムにおいて、前記特定の領域は前頭前野、眼窩前頭皮質、内包前脚、側坐核、下、中、上前頭回、内側前頭回、腹部線条体、腹部パリダム前核視床、視床背内側核、視床髄板内核、帯状皮質、扁桃体、海馬、海馬傍回、楔前部脳回、前内部パリダム、乳頭体、外側視床下部、青斑、背部縫線核、腹部被蓋、黒質ち密部及び黒質網様部、小脳半球背部表面及び小脳半球前側部表面から成る群から選択されるものである。
【請求項２５】
患者における精神活動に作用するシステムであって、
患者のＩＬＮの部分を特定する特定手段であって、前記ＩＬＮは患者の脳の所定の領域と連結しており、前記患者の脳の所定の領域は前記精神障害に関連しているものである、特定手段と、
精神活動を実行する前記患者のＩＬＮの部分の調節手段と
を有するシステム。
【請求項２６】
請求項２５のシステムにおいて、前記患者のＩＬＮの部分の特定は他の患者のＩＬＮ活動の合成に基づいているものである。
【請求項２７】
請求項２５のシステムにおいて、前記特定手段は前記患者の脳の所定の領域における病態の兆候とは無関係なものである。
【請求項２８】
請求項２５のシステムにおいて、前記精神活動は喜び、恐怖、不安、高揚感、及び悲しみから成る群から選択されるものである。
【請求項２９】
請求項２５のシステムにおいて、前記患者のＥＬＮの部分の調節は化学刺激を用いて達成されるものである。
【請求項３０】
請求項２５のシステムにおいて、前記患者のＩＬＮの部分の調節は電気刺激を用いて達成されるものである。
【請求項３１】
脳の特定の領域に関連した精神障害を治療するシステムであって、
精神障害に関連した脳の領域と連結された状態で設置される装置と、
前記装置を操作し、前記精神障害に関連した脳の特定の領域を調節する、操作手段とを有し、
前記特定の領域は腹部線条体、腹部パリダム、前内部&背部パリダム、海馬、海馬傍回、楔前部脳回、外側視床下部、腹部被蓋、小脳半球背部表面及び小脳半球前側部表面から成る群から選択されるものである、システム。
【請求項３２】
請求項１のシステムにおいて、前記特定の領域は腹部パリダム及び前内部&背部パリダムから成る群から選択されるものである。
【請求項３３】
請求項１のシステムにおいて、前記精神障害はＯＣＤ、鬱、不安障害、統合失語症から成る群、その中でも特にＯＣＤから選択されるものである。
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
肺診断システムであって、
肺区画の呼吸特徴を反映する測定データを生成する、少なくとも１つのセンサ；
該肺区画に到達するように構成された肺カテーテルと接続可能な気管支内肺診断装置であって、
該肺カテーテルを通って該肺区画へ、または該肺区画から、流体または気体を伝達する手段と、
該少なくとも１つのセンサから該測定データを受信する手段と、
該測定データを処理する手段と、
を含む装置；および
該処理済データを受信する、少なくとも１つのデータ受信構成要素、
を含む肺診断システム。
【請求項２】
前記呼吸特徴は、圧力、流量、速度、酸素濃度、二酸化炭素濃度、または希ガス濃度を含む、請求項１に記載のシステム。
【請求項３】
前記測定データを処理する手段は、前記測定データを分析する分析手段を含み、ここで該分析手段は、平均圧力値、容量値、コンプライアンス値、平均一回呼吸量値、抵抗値、またはこれらのいずれかの組み合わせを計算する、請求項１に記載のシステム。
【請求項４】
前記流体または気体を伝達する手段は、前記流体または気体の源と、該流体または気体の流れを生成する手段とを含む、請求項１に記載のシステム。
【請求項５】
前記気体は、空気、酸素、二酸化炭素、希ガス、放射線不透過性気体、分極気体またはこれらのうちのいずれかの混合物を含み、ここで、前記流体は、放射線不透過性造影溶液、水、超音波画像作成流体、またはこれらの任意の組み合わせを含む、請求項４に記載のシステム。
【請求項６】
前記少なくとも１つのセンサが、前記肺区画内の圧力を反映する圧力測定データを生成する少なくとも１つの圧力センサと、該肺区画へ、または該肺区画からの流れを反映する流れ測定データを生成する少なくとも１つの流れセンサとを含む、請求項１に記載のシステム。
【請求項７】
前記測定データを処理するための手段が、前記流れ測定データからの容量測定データを算出するための手段と、前記流れ測定データおよび容量測定データから圧力−容量曲線を生成ための手段とを含む、請求項６に記載のシステム。
【請求項８】
前記肺カテーテルをさらに含み、そしてここで、前記少なくとも１つのセンサが、前記肺区画を特徴付ける空気速度測定データを生成する、該カテーテル上もしくは該カテーテル内に配置された少なくとも１つの速度センサを含む、請求項１に記載のシステム。
【請求項９】
前記肺カテーテルをさらに含み、そしてここで、前記少なくとも１つのセンサが、該カテーテル上に配置された少なくとも１つの信号放出センサを含み、そしてさらに、該少なくとも１つの信号放出センサから放出された信号を受信する、少なくとも１つの受信器を含む、請求項１に記載のシステム。
【請求項１０】
前記区画が、肺組織を含み、そして、前記処理する手段が、該区画の該肺組織の前記抵抗を算出するための手段および／または前記肺通路内にある時に前記センサの位置を決定する手段を含む、請求項９に記載のシステム。
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
熱可塑性材料の吸油性多孔質フィルム状基材を含む、使用者の皮膚又は毛髪を清拭するのに好適な吸油性ワイプであって、前記多孔質基材は、油が付着すると透明度又は色が変化し、前記多孔質基材が、ワイプ材料表面積の少なくとも一部の少なくとも１％に油ベースのコーティングを有する、吸油性ワイプ。
【請求項２】
前記油ベースのコーティングが連続的なコーティングである、請求項１に記載の吸油性ワイプ。
【請求項３】
前記油ベースのコーティングが、植物ベースの又は合成物ベースの油又はこれらのブレンドである、請求項１に記載の吸油性ワイプ。
【請求項４】
前記油コーティングが、１〜５ｇ／ｃｍ2のレベルで塗工される、請求項３に記載の吸油性ワイプ。
【手続補正２】
【補正対象書類名】明細書
【補正対象項目名】００１５
【補正方法】変更
【補正の内容】
【００１５】
吸油性ワイプは、多孔質フィルム状の熱可塑性材料であり、第１の好ましい実施形態では、それは熱可塑性材料製の多孔質延伸又は配向フィルムであるか、或いはまた、第２のそれほど好ましくない実施形態では、フィルム状の熱圧着された（ｃｏｎｓｏｌｉｄａｔｅｄ）多孔質熱可塑性極細繊維不織ウェブである。本明細書で使用される場合、フィルム状は、熱可塑性フィルム，又は熱可塑性繊維の熱圧着した不織布と定義される。多孔質熱可塑性材料の一面の少なくとも一部に活性剤を塗工することができる。ワイプは、そのまま使用されても、又はコーティングを有する状態で使用されても、使用されるときには湿潤状態ではなく乾燥状態であることが好ましい。
【手続補正３】
【補正対象書類名】明細書
【補正対象項目名】００１６
【補正方法】変更
【補正の内容】
【００１６】
第１の好ましい実施形態の多孔質フィルム材料の単位面積当りの空隙体積（空隙率）は、下式で計算される場合、好ましくは０．０００１〜０．００５ｃｍ3の範囲内である。
単位面積当りの空隙体積＝［フィルム厚（ｃｍ）×１（ｃｍ）×１（ｃｍ）×空孔率（％）］／１００
（ここで、空孔率は多孔質フィルムの空孔のパーセンテージである）
【手続補正書】
【提出日】平成17年12月21日(2005.12.21)
【手続補正１】
【補正対象書類名】特許請求の範囲
【補正対象項目名】請求項４４
【補正方法】変更
【補正の内容】
【請求項４４】
前記装置及び前記送出装置は、互いに連通し、前記送出装置が患者に送出する物質の投与を制御するのに適していることを特徴とする請求項４３に記載の装置。
【手続補正２】
【補正対象書類名】特許請求の範囲
【補正対象項目名】請求項６１
【補正方法】変更
【補正の内容】
【請求項６１】
患者の成分を検出する方法であって、
前記患者の皮膚に対して装置を配置するステップであって、前記装置は、少なくとも１つの活性電極を有し、前記活性電極は、前記成分に到達するのに十分な深さだけ前記患者の角質層を通り抜けるのに適している長さを有し、前記活性電極は、前記活性電極の少なくとも一部に隣接する少なくとも１つの物質を有し、前記成分が前記物質と反応し、少なくとも１つの電気化学的活性生成物を生成することが可能であり、前記装置は、前記活性電極を少なくとも部分的に取り囲むように構成されている少なくとも１つの補助電極を有し、前記補助電極は、前記装置が前記患者に対して配置されるとき、前記患者の皮膚に接触するのに適している、ステップと、
前記活性電極に電位を印加するステップと、
前記患者の前記電気化学的活性生成物と前記物質の前記反応の基づく電流を測定するステップと、
を備えていることを特徴とする方法。
【手続補正３】
【補正対象書類名】明細書
【補正対象項目名】００１２
【補正方法】変更
【補正の内容】
【００１２】
代表的な図１−３に示されるように、活性電極１０４は、軸中心に沿って、又は、装置１００の軸中心に略沿って配置され得る。また、円形の又は略円形の補助電極１０６は、活性電極１０４の周囲全体に延在している。あるいは、活性電極は、手動又は機械的手段のいずれかにより、活性電極１０４の少なくとも一部を、それが適用される皮膚表面に対して０以上約９０度までの角度で、角質層を通って挿入するために、ベース部分１０２から自動又は手動で突出可能であってもよい。補助電極１０６は、１またはそれ以上の、シリコン、プラスチック、又は金属のような、適切な導電性または非導電性のベース材料から作られ得る。あるいは、薄い金属箔又はフィルム、プラスチック、紙又はその他の柔軟材料に支持されている金属箔又はフィルムを含む、金、プラチナ、グラファイト、パラジウムなどのような、導電性の材料で被覆されている非導電性材料から作られ得る。補助電極１０６は、図１及び２に示されるように、装置１００のベース部分１０２の全周を囲むように延在し得る。すなわち、全体的に又は部分的にどちらかで活性電極１０４の周りを回るように、ベース部分１０２の外周の任意の適切な部分に沿って延在し得る。補助電極１０６は、また、いくつかの部分円又は円弧状の形状に分割され得る。あるいは、補助電極１０６は、円形である必要はないが、正方形、長方形、長円形のような任意の適切な形状であり得る。あるいは、補助電極１０６は、任意の適切な電極パターンであってもよい。さらに、補助電極１０６は、表面の少なくとも一部に隣接して、導電性ゲル材料又は任意のその他の適切な導電性材料又はデバイスを含むように構成され得る。補助電極１０６は、公知の接着手段を含む、皮膚に密接且つ安全に適合すべく適切な構成を有し得る。補助電極１０６は、また、角質層ばかりでなく患者の皮膚表面を僅かに研磨し、かくして患者とのよりよい電気的接触を確立し得る研磨表面を含み得る。さらに、補助電極１０６は、活性電極１０４が存在するとき、患者の皮膚に対して低侵襲であるように構成され得る。
【手続補正４】
【補正対象書類名】明細書
【補正対象項目名】００１７
【補正方法】変更
【補正の内容】
【００１７】
図６は、図５に示されるような活性電極１０４の典型的なプローブ部分１２０の一部の断面図である。例示されるように、プローブ部分１２０は、シリコン物質、ステンレス鋼、プラスチック、又はその他の適切な材料のような基盤材料１２２からなる。基盤材料１２２は、白金、金、グラファイト、パラジウム、又は任意のその他の適切な材料のような導体で被覆されている。例えば、基盤材料１２２は、導電層１２４を形成するために、プラチナでスパッタリング被覆されてもよい。導電層１２４の少なくとも一部に隣接する物質１２６、例えば、グルコース・オキシダーゼ含有層１２６が、例示されるような固化母材（an immobilization matrix）の形となって導電層１２４に適用される。例えば、グルコース・オキシダーゼは、水媒体中に溶解され、導電層１２４上に一定量供給され、続いてグルタルアルデヒド溶液に触れさせ、乾燥させてもよい。乾燥すると、グルコース・オキシダーゼ酵素は、基板材料１２２の表面に架橋結合された状態になる。あるいは、該酵素は、酵素と紫外線架橋ポリビニル・アルコール改質ポリマーの水溶液を回転被覆することにより固定されてもよい。次に、干渉フィルム１２８が、示されるように、グルコース・オキシダーゼ層１２６を覆って施される。グルコース・オキシダーゼ酵素の固化方法及び体液中で見つけられた電気的活性物質（electro-active species）からの外生信号を減少させる干渉フィルムは、公知である。さらに、伝達物質が公知のように層１２６内に含まれ得る。
【手続補正５】
【補正対象書類名】明細書
【補正対象項目名】００２０
【補正方法】変更
【補正の内容】
【００２０】
角質層を通り抜けると、活性電極１０４又はそれに隣接する物質は、組織の被検体、又は血液又は間質液と電気化学的に相互に作用し、それで検出可能な信号を提供する。例えば、物質がグルコース・オキシダーゼであり、被検体がグルコースである場合、装置１００が皮膚に対して配置され、活性電極１０４が被検体に到達するのに十分な深さまで角質層を通過すると、以下の電気化学的反応が起きる。
【手続補正６】
【補正対象書類名】明細書
【補正対象項目名】００２９
【補正方法】変更
【補正の内容】
【００２９】
図１１に示されるように、多数の活性電極１０４−２は、図１２に示されるような装置１００−２の別の構造に用いられ得る帯状片１０５−２に沿って構成されていてもよい。すなわち、装置１００−２は、複数の活性電極１０４−２を分配するディスペンサとして構成され得る。示されるように、活性電極１０４−２を有する帯状片１０５−２は、装置１００−２が、必要に応じ順次供給され得る複数の活性電極１０４−２を収容し、不慮の損傷を最小にすべく使用後マイクロプローブを貯蔵することができる無菌の使い捨て可能な構成要素を備えるように、装置１００−２内に装着され得る。装置１００−２は、上記補助電極と同様であり得る補助電極１０６−２をさらに含んでいる。装置１００−２は、活性電極１０４−２及び補助電極１０６−２間に電位を供給する電源１０７−２をさらに含んでいる。
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
生体サンプル混合物から、負に帯電した小さい有機分子を除去する方法であって、
負に帯電した高分子電解質で部分的に被覆された第四級アンモニウムイオンを含む表面を提供するステップと、
生体サンプル混合物を提供するステップと、
前記生体サンプル混合物を、前記負に帯電した高分子電解質で部分的に被覆された第四級アンモニウムイオンを含む表面と接触させて、前記生体サンプル混合物から前記負に帯電した小さい有機分子の少なくとも一部を除去するステップと、
を含む方法。
【請求項２】
生体サンプル混合物から、負に帯電した小さい有機分子を除去する方法であって、
負に帯電した高分子電解質で部分的に被覆された第四級アンモニウムイオンを含む表面を含む少なくとも１つのプロセスアレイを含むデバイスを提供するステップと、
生体サンプル混合物を、前記少なくとも１つのプロセスアレイ内に提供するステップと、
前記生体サンプル混合物を、前記少なくとも１つのプロセスアレイ内で移動させるステップであって、前記生体サンプル混合物から、前記負に帯電した小さい有機分子の少なくとも一部を除去するのに十分な時間、前記生体サンプル混合物および前記負に帯電した高分子電解質で部分的に被覆された第四級アンモニウムイオンを含む表面が接触したままであるステップと、
を含む方法。
【請求項３】
生体サンプル混合物から、負に帯電した小さい有機分子を除去する方法であって、
負に帯電したポリマーで部分的に被覆された陰イオン交換材料を含む表面を提供するステップと、
生体サンプル混合物を提供するステップと、
前記生体サンプル混合物を、前記負に帯電したポリマーで部分的に被覆された陰イオン交換材料を含む表面と接触させて、前記生体サンプル混合物から前記負に帯電した小さい有機分子の少なくとも一部を除去するステップと、
を含む方法。
【請求項４】
生体サンプル混合物から、負に帯電した小さい有機分子を除去する方法であって、
負に帯電したポリマーで部分的に被覆された陰イオン交換材料を含む表面を含む少なくとも１つのプロセスアレイを含むデバイスを提供するステップと、
生体サンプル混合物を、前記少なくとも１つのプロセスアレイ内に提供するステップと、
前記生体サンプル混合物を、前記少なくとも１つのプロセスアレイ内で移動させるステップであって、前記生体サンプル混合物から、前記負に帯電した小さい有機分子の少なくとも一部を除去するのに十分な時間、前記生体サンプル混合物および前記負に帯電したポリマーで部分的に被覆された陰イオン交換材料を含む表面が接触したままであるステップと、
を含む方法。
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
約１．０ｍｍ〜１０．０ｍｍの粒度を有する鳥類胚粒子を含み、該粒子が鳥類胚細胞中での再生能を有する抗原に感染しているところの、抗原を生産するためのバイオマス。
【請求項２】
粒度が約１．０ｍｍ〜３．０ｍｍである請求項１記載のバイオマス。
【請求項３】
該鳥類胚がニワトリの胚である請求項１記載のバイオマス。
【請求項４】
該抗原が、レオウイルス；伝染性ファブリキウス嚢病ウイルス；マレック病ウイルス；ニューカッスル病ウイルス；伝染性気管支炎ウイルス；ポックスウイルス；ニワトリ貧血ウイルス；軟卵症候群ウイルス；七面鳥の鼻気管炎ウイルス；肺炎ウイルス；伝染性喉頭気管炎ウイルス；脳脊髄炎ウイルス；インフルエンザウイルス；狂犬病ウイルス；ジステンパーウイルス；出血性腸炎ウイルス；肝炎ウイルス；ヘモフィルス・パラガリナルム；およびクラミジア・シッタシからなる群から選択される請求項１記載のバイオマス。
【請求項５】
該抗原が鳥ウイルスである請求項１記載のバイオマス。
【請求項６】
該抗原が伝染性ファブリキウス嚢病ウイルスである請求項５記載のバイオマス。
【請求項７】
ウイルス抗原の生産方法であって：
ａ）約１．０ｍｍ〜１０．０ｍｍの粒度を有する鳥類胚粒子を、培養培地中でウイルスに感染させてバイオマスを形成すること；
ｂ）該バイオマスを高温で酸素処理して酸素化混合物を形成すること；および
ｃ）該混合物を濾過して所望のウイルス抗原生成物を含有する濾液を得ること；
を含む方法。
【請求項８】
該胚の粒度が約１．０ｍｍ〜３．０ｍｍである請求項７記載の方法。
【請求項９】
該培養培地がトリプトースリン酸ブロスである請求項７記載の方法。
【請求項１０】
該酸素化混合物が、約４０％〜６０％の溶解酸素を含有する請求項７記載の方法。
【請求項１１】
高温が約９５°Ｆ〜１０５°Ｆである請求項７記載の方法。
【請求項１２】
ウイルスが、レオウイルス；伝染性ファブリキウス嚢病ウイルス；マレック病ウイルス；ニューカッスル病ウイルス；伝染性気管支炎ウイルス；ポックスウイルス；ニワトリ貧血ウイルス；軟卵症候群ウイルス；七面鳥の鼻気管炎ウイルス；伝染性喉頭気管炎ウイルス；脳脊髄炎ウイルス；インフルエンザウイルス；狂犬病ウイルス；ジステンパーウイルス；出血性腸炎ウイルス；肝炎ウイルス；およびクラミジア・シッタシからなる群から選択される請求項７記載の方法。
【請求項１３】
ウイルスが鳥ウイルスである請求項７記載の方法。
【請求項１４】
ウイルスが伝染性ファブリキウス嚢病ウイルスである請求項１３記載の方法。
【請求項１５】
ウイルスワクチンの製造方法であって；
ａ）約１．０ｍｍ〜１０．０ｍｍの粒度を有する鳥類胚粒子を、培養培地中でウイルスに感染させてバイオマスを形成すること；
ｂ）該バイオマスを高温で酸素処理して酸素化混合物を形成すること；
ｃ）該混合物を濾過して所望のウイルス抗原生成物を含有する濾液を得ること；
ｄ）該濾液を生理学的に許容される液体担体と混合すること；および
ｅ）任意に免疫原性刺激剤を添加すること；
を含む方法。
【請求項１６】
該ウイルスが、レオウイルス；伝染性ファブリキウス嚢病ウイルス；マレック病ウイルス；ニューカッスル病ウイルス；伝染性気管支炎ウイルス；ポックスウイルス；ニワトリ貧血ウイルス；軟卵症候群ウイルス；七面鳥の鼻気管炎ウイルス；伝染性喉頭気管炎ウイルス；脳脊髄炎ウイルス；インフルエンザウイルス；狂犬病ウイルス；ジステンパーウイルス；出血性腸炎ウイルス；肝炎ウイルス；およびクラミジア・シッタシからなる群から選択される請求項１５記載の方法。
【請求項１７】
該ウイルスが鳥ウイルスである請求項１５記載の方法。
【請求項１８】
該ウイルスが伝染性ファブリキウス嚢病ウイルスである請求項１７記載の方法。
【請求項１９】
該胚粒子が約１．０ｍｍ〜３．０ｍｍの粒度を有する請求項１８記載の方法。
【請求項２０】
該粒子がニワトリ胚粒子である請求項１９記載の方法。
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
選択試料処理装置とともに用いるために試料処理システムを適合させる方法であって、
試料処理システムを提供するステップであって、該試料処理システムが、
試料処理装置を受容するように構成された、熱構造を含むベースプレートと、
回転軸を中心に前記ベースプレートを回転させるように構成された駆動システムと、
システムコントローラと、
前記ベースプレートと前記駆動システムとの間に配置された、前記回転軸を中心に前記ベースプレートを回転させるために前記ベースプレートを前記駆動システムに取り外し可能に取り付ける接続装置とを含み、該接続装置が、
前記駆動システムに固定して取り付けられた駆動側コネクタと、
前記ベースプレートに固定して取り付けられたプレート側コネクタとを含むステップと、
前記駆動側コネクタを前記プレート側コネクタと噛合させることにより前記ベースプレートを前記駆動システムに動作可能に取り付けるステップと、
前記駆動システムを用いて前記回転軸を中心に前記ベースプレートを回転させるステップとを含む方法。
【請求項２】
選択試料処理装置とともに用いるために試料処理システムを適合させる方法であって、
試料処理システムを提供するステップであって、該試料処理システムが、
試料処理装置を受容するように構成された、熱構造と、電動装置と、前記ベースプレートに動作可能に取り付けられた発電コイルとを含むベースプレートと、
回転軸を中心に前記ベースプレートを回転させるように構成された駆動システムと、
システムコントローラとを含むステップと、
前記駆動システムを用いて前記回転軸を中心に前記ベースプレートを回転させるステップと、
前記ベースプレートが回転しながら前記発電コイルが磁界を通過することにより前記ベースプレート上の前記電動装置を作動させる電気を発電するように前記ベースプレートに近接した磁界を提供するステップとを含む方法。
【請求項３】
試料処理システムであって、
上面で試料処理装置を受容するように構成されたベースプレートであって、該ベースプレートの上面に露出された熱構造を含むベースプレートと、
回転軸を中心に前記ベースプレートを回転するように構成された駆動システムと、
システムコントローラと、
前記ベースプレートと前記駆動システムとの間に配置された、前記回転軸を中心に前記ベースプレートを回転させるために前記ベースプレートを前記駆動システムに取り外し可能に取り付ける接続装置であって、該接続装置が前記駆動システムに固定して取り付けられた駆動側コネクタと前記ベースプレートに固定して取り付けられたプレート側コネクタとを含み、前記プレート側コネクタが前記駆動側コネクタと取り外し可能に噛合して前記ベースプレートを前記駆動システムに動作可能に取り付けることにより、前記駆動システムが前記回転軸を中心に前記ベースプレートを回転可能である接続装置とを含むシステム。
【請求項４】
試料処理システムであって、
上面で試料処理装置を受容するように構成されたベースプレートであって、熱構造と、電動装置と、前記ベースプレートに動作可能に取り付けられた発電コイルとを含むベースプレートと、
回転軸を中心に前記ベースプレートを回転するように構成された駆動システムと、
システムコントローラと、
前記ベースプレートと前記駆動システムとの間に配置された、前記回転軸を中心に前記ベースプレートを回転させるために前記ベースプレートを前記駆動システムに取り外し可能に取り付ける接続装置と、
前記ベースプレートに近接した磁界であって、前記駆動システムを用いて前記回転軸を中心に前記ベースプレートを回転させる際に前記ベースプレートに動作可能に取り付けられた前記発電コイルが前記磁界を通過し、さらに発電された電気が前記ベースプレート上の前記電動装置を作動させるように前記発電コイルが前記電動装置に動作可能に接続された磁界とを含むシステム。
【手続補正２】
【補正対象書類名】明細書
【補正対象項目名】００２９
【補正方法】変更
【補正の内容】
【００２９】
熱構造３０用の適当な材料の選択に加えて、図示したような溝（あるいは他の表面構造）を含むことにより、電磁エネルギー源９０が発する電磁エネルギーに露出される表面積量を増加させることも好ましい。電磁エネルギー源９０からの電磁エネルギーに露出される熱構造３０の表面積を増加させることで熱構造３０によりエネルギーが吸収される速度が向上する。熱構造３０で用いる表面積が増加すると電磁エネルギー吸収効率も上昇する。
【手続補正３】
【補正対象書類名】明細書
【補正対象項目名】００８８
【補正方法】変更
【補正の内容】
【００８８】
図９は軸５１２を中心に回転するベースプレート５１０を含む他の試料処理システム５００の一部を概略的に図示している。ベースプレート５１０は、適当な電磁エネルギー、例えば電磁エネルギー源５９０により供給される高周波、マイクロ波等により選択的に加熱されて熱構造５３０内の電磁エネルギー受容物質を加熱することができる熱構造５３０を含んでいる。そして電磁エネルギー受容物質は熱エネルギーをベースプレート５１０上に配置された試料処理装置に伝えることができる。電磁エネルギー源５９０は上述したように電磁エネルギーを連続的あるいは断続的に提供することができる。
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
造血および前駆幹細胞への遺伝子導入のインビトロの方法であって、以下、
ａ．  ドナーの骨髄または臍帯血からの前記造血および前駆幹細胞を単離するステップと、
ｂ．  前記幹細胞および前駆幹細胞と接触する内皮細胞を含む培地における前記単離幹細胞および前駆細胞を増殖するステップと、
ｃ．  前記増殖された幹細胞を形質導入するステップ
とを含む方法。
【請求項２】
前記培地が少なくとも一種類のサイトカインを含むことを特徴とする請求項１に記載の方法。
【請求項３】
前記少なくとも一種類のサイトカインは、顆粒球マクロファ−ジコロニ−刺激因子、インタ−ロイキン３、幹細胞因子およびインタ−ロイキン６、flt−３リガンド（flt−3 ligand）、およびそれらの混合物から成る群から選択されることを特徴とする請求項２に記載の方法。
【請求項４】
前記培地が内皮細胞の単層を含むことを特徴とする請求項１に記載の方法。
【請求項５】
前記培地がブタ脳の微小血管内皮細胞の単層を含むことを特徴とする請求項１に記載の方法。
【請求項６】
前記培地がヒト脳の血管内皮細胞の単層を含むことを特徴とする請求項１に記載の方法。
【請求項７】
前記幹細胞がＣＤ３４陽性であることを特徴とする請求項１に記載の方法。
【請求項８】
前記幹細胞がＣＤ３４陽性ＣＤ３８陰性であることを特徴とする請求項１に記載の方法。
【請求項９】
前記段階（c）の形質導入がベクタ−を用いて達成されることを特徴とする請求項１に記載の方法。
【請求項１０】
前記ベクタ−がマロニ−白血病ウィルス（Maloney Leukemia Virus）ベクタ−であることを特徴とする請求項９に記載の方法。
【請求項１１】
前記ベクタ−がＰＡ３１７およびＰＧ１３細胞株にパッケ−ジされることを特徴とする請求項１０に記載の方法。
【請求項１２】
前記ステップ（b）の増殖が５日間実施されることを特徴とする請求項１に記載の方法。
【請求項１３】
前記ステップ（a）における単離段階の後に、前記幹細胞の精製が実施されることを特徴とする請求項１に記載の方法。
【請求項１４】
前記ステップ（c）の形質導入が３日間実施されることを特徴とする請求項１に記載の方法。
【請求項１５】
前記方法で、５日後にレトロウィルス形質導入を示すすべてのＣＤ３４陽性ＣＤ３８陰性幹細胞群が、３５.１％±１５.５〜６２.５％±４.７増加する結果となることを特徴とする請求項１に記載の方法。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
オレフィンポリマーを製造する方法であって、下記工程：
（ａ）遷移金属化合物を含む触媒の存在下に重合領域においてオレフィンモノマーを重合してオレフィンポリマーを生成する工程、及び
（ｂ）少なくとも１００の重量平均分子量を有し、そしてＲ基、カチオンＹ、Ｒ基に結合したアニオン基−Ｃ（Ｒ1）2−Ｘ-、及び場合により、Ｒ基に結合した−Ｃ（Ｒ1）2−Ｘ−Ｈ基〔式中のＲ1はそれぞれ独立して水素原子又は炭素原子１個から２０個までを有するアルキル基を表わし、Ｘは元素の周期表の１６族から選ばれる元素を含んでおり、Ｒは、一般式（−（ＣＨＲ1）t−Ｘ−）（式中のＲ1およびＸは上記の通りであり、そしてｔは１から１０までの整数である）で表される単位１個又はそれ以上を含んでおり、前記単位が同一であるか又は異なっていることができ、Ｙは元素の周期表の１族及び２族から選ばれる金属のカチオン及び式［Ｒa4Ｍ］+（式中のＭは元素の周期表の１５族の元素であり、そしてＲaはその各存在が独立して水素原子又はヒドロカルビル基である）で表されるカチオンからなる群より選ばれ、Ｃは炭素原子であり、Ｈは水素原子である〕を含有する添加剤組成物であって、相対モル分率ｎのカチオンＹ及び相対モル分率ｍの−Ｃ（Ｒ1）2−Ｘ−Ｈ基（０＜ｎ≦１、０≦ｍ＜１、及びｎ＋ｍ＝１）を有する該添加剤組成物を、重合領域の終端で又は該重合領域の下流で前記オレフィンポリマーに添加し混合する工程
を含む、前記オレフィンポリマーの製造方法。
【請求項２】
（−（ＣＨＲ1）t−Ｘ−）が、エチレンオキシド、プロピレンオキシド、ブチレンオキシド、またはこれらの混合物から誘導される、請求項１に記載の製造方法。
【請求項３】
前記添加剤組成物の（−（ＣＨＲ1）t−Ｘ−）単位においてｔが２であり、Ｒ1が水素原子であり、そして他のＲ1が水素原子、メチル基又はエチル基であり、そしてＸは酸素原子である、請求項２に記載の製造方法。
【請求項４】
前記工程（ｂ）において用いられる前記添加剤組成物が、１０００から２５００の重量平均分子量を有する、請求項２に記載の製造方法。
【請求項５】
請求項１〜４のいずれか一項に記載の製造方法によって得られるオレフィンポリマー。
【請求項６】
重量平均分子量少なくとも１００を有し、そしてＲ基、カチオンＹ、Ｒ基に結合したアニオン基−Ｃ（Ｒ1）2−Ｘ-、及び場合により、Ｒ基に結合した−Ｃ（Ｒ1）2−Ｘ−Ｈ基〔式中のＲ1はそれぞれ独立して水素原子又は炭素原子１個から２０個までを有するアルキル基を表わし、Ｘは元素の周期表の１６族から選ばれる元素を含んでおり、Ｒは、一般式（−（ＣＨＲ1）t−Ｘ−）（式中のＲ1およびＸは上記の通りであり、そしてｔは１から１０までの整数である）で表される単位１個又はそれ以上を含んでおり、前記単位が同一であるか又は異なっていることができ、Ｙは元素の周期表の１族及び２族から選ばれる金属のカチオン及び式［Ｒa4Ｍ］+（式中のＭは元素の周期表の１５族の元素であり、そしてＲaはその各存在が独立して水素原子又はヒドロカルビル基である）で表されるカチオンからなる群より選ばれ、Ｃは炭素原子であり、Ｈは水素原子である〕を含有する添加剤組成物であって、相対モル分率ｎのカチオンＹ及び相対モル分率ｍの−Ｃ（Ｒ1）2−Ｘ−Ｈ基（０＜ｎ≦１、０≦ｍ＜１、及びｎ＋ｍ＝１）を有する該添加剤組成物の、オレフィンポリマーを前記添加剤組成物と均質混合することによりオレフィンポリマー中に存在する望ましくない量の酸性化合物又はハロゲン含有化合物を不活性にするための使用。
【請求項７】
前記望ましくない量の酸性化合物又はハロゲン含有化合物が遷移金属触媒から誘導される、請求項６に記載の使用。
【請求項８】
添加剤組成物と均質混合物された溶融オレフィンポリマーが製品に溶融加工されるものである、請求項７に記載の使用。
【請求項９】
請求項８に記載の使用により得られた加工品。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
組成物当り、９９重量％より多い量から９９．９重量％までの量のエチレン−α−オレフィン共重合体と、０．１重量％から１重量％より少ない量までの量の機能化されたエチレン単独重合体及び機能化されたエチレン−α−オレフィン共重合体からなる群から選ばれる機能化された成分とを含む組成物からフィルムを形成せしめることを含んでなる、減少した表面ヘイズ、増大した割線モジュラス及び改良された色調を有することによって特徴づけられるフィルムの製造方法であって、前記機能化された成分が、その機能化された成分当り、０．０１重量％〜３重量％の機能化剤を含んでなる前記フィルムの製造方法。
【請求項２】
前記エチレン−α−オレフィン共重合体がエチレン及び少なくとも１種又はそれ以上のその他のα−オレフィンを含み、且つそのエチレン含有量がその共重合体の少なくとも５０重量％である請求項１に記載の方法。
【請求項３】
α−オレフィンが炭素原子３〜１６を有する請求項２に記載の方法。
【請求項４】
機能化されたエチレン−α−オレフィン共重合体が、エチレン含有量が共重合体の少なくとも５０重量％であり、且つα−オレフィンが炭素原子３〜１６を有する、エチレン−α−オレフィンの機能化された共重合体を含む請求項１に記載の方法。
【請求項５】
前記機能化剤が１個又はそれ以上のカルボキシル基を含む不飽和単量体及び１個又はそれ以上の酸無水物基を含む不飽和単量体からなる群から選ばれる請求項１に記載の方法。
【請求項６】
前記機能化剤が無水マレイン酸である請求項５に記載の方法。
【手続補正書】
【提出日】平成17年6月21日(2005.6.21)
【手続補正１】
【補正対象書類名】明細書
【補正対象項目名】００１０
【補正方法】変更
【補正の内容】
【００１０】
慢性腎不全患者の生存は、透析の最適な調節性能に依存している。これが可能ではない場合（例えば血管アクセス機能不全または失敗の結果として）、急速な臨床的悪化に至り、状況が改善されなければこれらの患者は死亡する。血液透析は、循環系へのアクセスを必要とする。血液透析血管アクセスの理想形態は、循環系への反復アクセスを可能にし、高い血流速度を提供し、合併症は最小限にとどめるべきである。現時点で、血管アクセスの３形態は、天然動静脈フィステル（ＡＶＦ）、合成移植体および中央静脈カテーテルである。移植体は、最も一般的にはポリテトラフルオロエチレン（ＰＴＦＥ）またはゴアテックスでできている。アクセスの各タイプは、それ自体の利点および不利点を有する。
【手続補正２】
【補正対象書類名】明細書
【補正対象項目名】００７４
【補正方法】変更
【補正の内容】
【００７４】
ポリマー材料の例には、親水性、疎水性または生体適合性、生物分解性材料、例えばポリカルボン酸；セルロースポリマー；澱粉；コラーゲン；ヒアルロン酸；ゼラチン；ラクトンに基づくポリエステルまたはコポリエステル、例えばポリラクチド；ポリグリコリド；ポリラクチド‐グリコリド；ポリカプロラクトン；ポリカプロラクトン‐グリコリド；ポリ（ヒドロキシブチレート）；ポリ（ヒドロキシバレレート）；ポリヒドロキシ（ブチレート‐コ‐バレレート）；ポリグリコリド‐コ‐トリメチレンカーボネート；ポリ（ジアキサノン）；ポリオルトエステル；ポリ無水物；ポリアミノ酸；多糖類；ポリホスホエーテル；ポリホスホエーテル‐ウレタン；ポリシアノアクリレート；ポリホスファゼン；ポリ（エーテル‐エステル）コポリマー、例えばＰＥＯ−ＰＬＬＡ、フィブリン；フィブリノーゲン；またはその混合物；および生体適合性非分解性材料、例えばポリウレタン；ポリオレフィン；ポリエステル；ポリアミド；ポリカプロラクタム；ポリイミド；ポリビニルクロリド；ポリビニルメチルエーテル；ポリビニルアルコールまたはビニルアルコール／オレフィンコポリマー、例えばビニルアルコール／エチレンコポリマー；ポリアクリロニトリル；オレフィンとビニルモノマーのポリスチレンコポリマー、例えばスチレンアクリロニトリルコポリマー、エチレンメチルメタクリレートコポリマー；ポリジメチルシロキサン；ポリ（エチレン‐ビニルアセテート）；アクリレートに基づくポリマーまたはコポリマー、例えばポリブチルメタクリレート、ポリ（ヒドロキシエチルメチルメタクリレート）；ポリビニルピロリジノン；フッ素化ポリマー、例えばポリテトラフルオエチレン；セルロースエステル、例えば酢酸セルロース、硝酸セルロースまたはプロピオン酸セルロース；またはそれらの混合物がある。
【手続補正３】
【補正対象書類名】明細書
【補正対象項目名】００８６
【補正方法】変更
【補正の内容】
【００８６】
本発明に従って、例えば血管アクセス機能不全の予防または低減化で、ラパマイシンまたはｍＴＯＲ阻害特性を有するラパマイシン誘導体を全身投与するか、または全身適用により追加投与するとき、本発明方法の実施に必要とされる一日用量は、例えば使用される化合物、宿主、投与方式および処置される状態の重症度により異なる。好ましい一日用量範囲は、単一用量または分割用量として約０.１〜２５ｍｇである。患者に適切な一日用量は、例えば０.１〜２５ｍｇ（経口）程度である。化合物は、任意の慣用的経路、特に腸溶的、例えば錠剤、カプセル剤、飲用液形態で経口的、経鼻的、肺経路（吸入による）または例えば注射可能溶液または懸濁液の形態で非経腸的に投与され得る。経口投与に適切な単位用量形態は、１種またはそれ以上の医薬上許容される希釈剤または担体と一緒に、約０.０５〜１２.５ｍｇ、通常０.２５〜１０ｍｇの化合物を含む。
【手続補正４】
【補正対象書類名】明細書
【補正対象項目名】００９６
【補正方法】変更
【補正の内容】
【００９６】
以前に報告された要領（Prescott Am.J.Pathol.（１９９１）１３９：１２９１−１２９６、Clowes et al.（１９８３）Lab Invest.４９：３２７−３３３）で、２Ｆフォガーティーカテーテルを用いて、左総頚動脈から内皮を削剥する。簡単に述べると、ラットにケタミン（５０ｍｇ／ｍｌ）およびロンプン（１０ｍｇ／ｍｌ）を１.５ｍｌ／ｋｇの用量で腹腔内投与して麻酔をかける。頚部を中線切開して左外頚および総頚動脈を露出させる。バルーンを左外枝から総頚動脈へ挿入し、食塩水で膨張させ、回転運動により管腔を通して３回引き戻すことにより最大内皮剥脱を確実にする。次いで、カテーテルを除去し、外頚動脈を結紮し、創傷を閉じる。手術直後、各動物に抗生物質バチリン（２００.０００単位／ｋｇ）および鎮痛薬ブプレノフィン（０.０６ｍｇ／ｋｇ）の注射をする。
【手続補正５】
【補正対象書類名】明細書
【補正対象項目名】０１０４
【補正方法】変更
【補正の内容】
【０１０４】
以下の実施例は、本発明の実例であって、これを制限するものではない。
実施例１
ステントは、医療用３１６ＬＳステンレス鋼から製造され、共通の縦軸に沿って円筒状に向きを定めて整列させた一連のリングにより構成されている。各リングは、３本の連結バーおよび６本の膨張エレメントから成る。ステントを送達システムに予め取付ける。有効成分、例えば４０−（２−ヒドロキシエチル）−ラパマイシン（０.５０ｍｇ／ｍｌ）を所望により２,６−ジ−ｔｅｒｔ−ブチル−４−メチルフェノール（０.００１ｍｇ／ｍｌ）と一緒に、半晶質エチレン‐ビニルアルコールコポリマーに基づいたポリマーマトリックス中へ組込む。ステントをこのマトリックスでコーティングする。